(57)【要約】  特定波長λｐの確認用光信号を発生するプラガブルＬＤモジュール１７と、装置内光ファイバ４１が接続された送信側コネクタ１４１と対応する光分波器１１の出力ポート１３１とを接続する送信側光ファイバ１５１に特定波長λｐの確認用光信号を合波するカプラ１６１と、装置内光ファイバ１４１が接続された受信側コネクタ３４１と対応する光合波器３１の入力ポート３２１とを接続する受信側光ファイバ３５１から光信号を分波するカプラ３６１と、カプラ３６１により分岐された確認用光信号のレベルを検出するレベル検出器４０と、レベル検出器４０により検出されたレベルに応じて装置内光ファイバ１４１の誤接続を検出する誤接続検出部９１とを備えた。
2013105605.tif 000002
【特許請求の範囲】
【請求項１】
入力ポートからの波長多重光を各々の波長毎に分波して各々の出力ポートから出力する光分波器、
上記光分波器の各々の出力ポートに対応して設けられた送信側コネクタ、
および上記光分波器の各々の出力ポートと、対応して設けられた各々の送信側コネクタとを接続する送信側光ファイバからなる送信部と、
複数の入力ポートからの波長毎の光信号を合波して波長多重光を出力ポートから出力する光合波器、
上記光合波器の各々の入力ポートに対応して設けられた受信側コネクタ、
および上記光合波器の各々の入力ポートと、対応して設けられた各々の受信側コネクタとを接続する受信側光ファイバからなる受信部とを備え、
上記送信側コネクタと上記受信側コネクタとが装置内光ファイバにより接続される波長多重光通信装置において、
確認用光信号を発生する接続確認用光源と、
上記装置内光ファイバが接続された上記送信側コネクタと、対応する上記光分波器の出力ポートとを接続する送信側光ファイバに、上記確認用光信号を合波する合波手段と、
上記装置内光ファイバが接続された上記受信側コネクタと、対応する上記光合波器の入力ポートとを接続する受信側光ファイバから確認用光信号を分波する分波手段と、
上記分波手段による確認用光信号のレベルを検出し、該検出したレベルに応じて上記装置内光ファイバの誤接続を検出する誤接続検出手段とを備えたことを特徴とする波長多重光通信装置。
【請求項２】
入力ポートからの波長多重光を各々の波長毎に分波して各々の出力ポートから出力する光分波器、
上記光分波器の各々の出力ポートに対応して設けられた送信側コネクタ、
および上記光分波器の各々の出力ポートと、対応して設けられた各々の送信側コネクタとを接続する送信側光ファイバからなる送信部と、
複数の入力ポートからの波長毎の光信号を合波して波長多重光を出力ポートから出力する光合波器、
上記光合波器の各々の入力ポートに対応して設けられた受信側コネクタ、
および上記光合波器の各々の入力ポートと、対応して設けられた各々の受信側コネクタとを接続する受信側光ファイバからなる受信部とを備え、
上記送信側コネクタと上記受信側コネクタとが装置内光ファイバにより接続される波長多重光通信装置において、
上記装置内光ファイバが接続された上記送信側コネクタに対応する上記光分波器の出力ポートからの光信号の波長と同一波長の確認用光信号を発生する接続確認用光源と、
上記光分波器の入力ポートに、上記接続確認用光源の確認用光信号を合波する合波手段と、
上記光合波器の出力ポートから確認用光信号を分波する分波手段と、
上記分波手段による確認用光信号のレベルを検出し、該検出したレベルに応じて上記装置内光ファイバの誤接続を検出する誤接続検出手段とを備えたことを特徴とする波長多重光通信装置。
【請求項３】
入力ポートからの波長多重光を各々の波長毎に分波して各々の出力ポートから出力する光分波器、
上記光分波器の各々の出力ポートに対応して設けられた送信側コネクタ、
および上記光分波器の各々の出力ポートと、対応して設けられた各々の送信側コネクタとを接続する送信側光ファイバからなる送信部と、
複数の入力ポートからの波長毎の光信号を合波して波長多重光を出力ポートから出力する光合波器、
上記光合波器の各々の入力ポートに対応して設けられた受信側コネクタ、
および上記光合波器の各々の入力ポートと、対応して設けられた各々の受信側コネクタとを接続する受信側光ファイバからなる受信部とを備え、
上記送信側コネクタと上記受信側コネクタとが装置内光ファイバにより接続される波長多重光通信装置において、
上記装置内光ファイバが接続された上記送信側コネクタに対応する上記光分波器の出力ポートからの光信号の波長と同一波長の確認用複数波長光信号を発生し、該光分波器の入力ポートに供給する確認用複数波長光信号供給手段と、
上記光合波器の出力ポートから確認用複数波長光信号を分波する分波手段と、
上記分波手段による確認用複数波長光信号の波長毎のレベルを検出し、該検出した波長毎のレベルに応じて上記装置内光ファイバの誤接続を検出する誤接続検出手段とを備えたことを特徴とする波長多重光通信装置。
【請求項４】
入力ポートからの波長多重光を各々の波長毎に分波して各々の出力ポートから出力する第１の光分波器、
上記第１の光分波器の各々の出力ポートに対応して設けられた第１の送信側コネクタ、
および上記第１の光分波器の各々の出力ポートと、対応して設けられた各々の第１の送信側コネクタとを接続する第１の送信側光ファイバからなる第１の送信部と、
複数の入力ポートからの波長毎の光信号を合波して波長多重光を出力ポートから出力する第１の光合波器、
上記第１の光合波器の各々の入力ポートに対応して設けられた第１の受信側コネクタ、
および上記第１の光合波器の各々の入力ポートと、対応して設けられた各々の第１の受信側コネクタとを接続する第１の受信側光ファイバからなる第１の受信部とを備えた第１のパッケージと、
複数の入力ポートからの波長毎の光信号を合波して波長多重光を出力ポートから出力する第２の光合波器、
上記第２の光合波器の各々の入力ポートに対応して設けられた第２の受信側コネクタ、
および上記第２の光合波器の各々の入力ポートと、対応して設けられた各々の第２の受信側コネクタとを接続する第２の受信側光ファイバからなる第２の受信部と、
入力ポートからの波長多重光を各々の波長毎に分波して各々の出力ポートから出力する第２の光分波器、
上記第２の光分波器の各々の出力ポートに対応して設けられた第２の送信側コネクタ、
および上記第２の光分波器の各々の出力ポートと、対応して設けられた各々の第２の送信側コネクタとを接続する第２の送信側光ファイバからなる第２の送信部とを備えた第２のパッケージと、
上記第１の送信側コネクタと上記第２の受信側コネクタとが第１の装置内光ファイバにより接続され、上記第２の送信側コネクタと上記第１の受信側コネクタとが第２の装置内光ファイバにより接続される波長多重光通信装置において、
確認用光信号を発生する接続確認用光源と、
上記第１の装置内光ファイバが接続された上記第１の送信側コネクタと、対応する上記第１の光分波器の出力ポートとを接続する第１の送信側光ファイバに、上記確認用光信号を合波する第１の合波手段と、
上記第１の装置内光ファイバが接続された上記第２の受信側コネクタと、対応する上記第２の光合波器の入力ポートとを接続する第２の受信側光ファイバから確認用光信号を分波する第２の分波手段と、
上記第２の装置内光ファイバが接続された上記第２の送信側コネクタと、対応する上記第２の光分波器の出力ポートとを接続する第２の送信側光ファイバに、上記第２の分波手段による確認用光信号を合波する第２の合波手段と、
上記第２の装置内光ファイバが接続された上記第１の受信側コネクタと、対応する上記第１の光合波器の入力ポートとを接続する第１の受信側光ファイバから確認用光信号を分波する第１の分波手段と、
上記第１の分波手段による確認用光信号のレベルを検出し、該検出したレベルに応じて上記第１および第２の装置内光ファイバの誤接続を検出する誤接続検出手段とを備えたことを特徴とする波長多重光通信装置。
【請求項５】
入力ポートからの波長多重光を各々の波長毎に分波して各々の出力ポートから出力する第１の光分波器、
上記第１の光分波器の各々の出力ポートに対応して設けられた第１の送信側コネクタ、
および上記第１の光分波器の各々の出力ポートと、対応して設けられた各々の第１の送信側コネクタとを接続する第１の送信側光ファイバからなる第１の送信部と、
複数の入力ポートからの波長毎の光信号を合波して波長多重光を出力ポートから出力する第１の光合波器、
上記第１の光合波器の各々の入力ポートに対応して設けられた第１の受信側コネクタ、
および上記第１の光合波器の各々の入力ポートと、対応して設けられた各々の第１の受信側コネクタとを接続する第１の受信側光ファイバからなる第１の受信部とを備えた第１のパッケージと、
複数の入力ポートからの波長毎の光信号を合波して波長多重光を出力ポートから出力する第２の光合波器、
上記第２の光合波器の各々の入力ポートに対応して設けられた第２の受信側コネクタ、
および上記第２の光合波器の各々の入力ポートと、対応して設けられた各々の第２の受信側コネクタとを接続する第２の受信側光ファイバからなる第２の受信部と、
入力ポートからの波長多重光を各々の波長毎に分波して各々の出力ポートから出力する第２の光分波器、
上記第２の光分波器の各々の出力ポートに対応して設けられた第２の送信側コネクタ、
および上記第２の光分波器の各々の出力ポートと、対応して設けられた各々の第２の送信側コネクタとを接続する第２の送信側光ファイバからなる第２の送信部とを備えた第２のパッケージと、
上記第１の送信側コネクタと上記第２の受信側コネクタとが第１の装置内光ファイバにより接続され、上記第２の送信側コネクタと上記第１の受信側コネクタとが第２の装置内光ファイバにより接続される波長多重光通信装置において、
上記第１の装置内光ファイバが接続された上記第１の送信側コネクタに対応する上記第１の光分波器の出力ポートからの光信号の波長と同一波長の確認用光信号を発生する接続確認用光源と、
上記第１の光分波器の入力ポートに、上記接続確認用光源の確認用光信号を合波する第１の合波手段と、
上記第２の光合波器の出力ポートから確認用光信号を分波する第２の分波手段と、
上記第２の光分波器の入力ポートに、上記第２の分波手段による確認用光信号を合波する第２の合波手段と、
上記第１の光合波器の出力ポートから確認用光信号を分波する第１の分波手段と、
上記第１の分波手段による確認用光信号のレベルを検出し、該検出したレベルに応じて上記第１および第２の装置内光ファイバの誤接続を検出する誤接続検出手段とを備えたことを特徴とする波長多重光通信装置。
【請求項６】
接続確認用光源は、
運用波長外の確認用光信号を発生することを特徴とする請求項１記載の波長多重光通信装置。
【請求項７】
接続確認用光源は、
運用波長外の確認用光信号を発生することを特徴とする請求項４記載の波長多重光通信装置。
【請求項８】
接続確認用光源と合波手段とは、
着脱自在にされたことを特徴とする請求項１記載の波長多重光通信装置。
【請求項９】
接続確認用光源と合波手段とは、
着脱自在にされたことを特徴とする請求項４記載の波長多重光通信装置。
【請求項１０】
分波手段と誤接続検出手段とは、
着脱自在にされたことを特徴とする請求項４記載の波長多重光通信装置。
【請求項１１】
分波手段は、
各々の受信側光ファイバに設けられ、切替手段により、複数の受信側光ファイバのうちのいずれの受信側光ファイバからの確認用光信号を誤接続検出手段に出力するか切り替え自在にされたことを特徴とする請求項１記載の波長多重光通信装置。
【請求項１２】
第２の分波手段は、
各々の第２の受信側光ファイバに設けられ、
第２の合波手段は、
各々の第２の送信側光ファイバに設けられ、
切替手段により、複数の第２の受信側光ファイバのうちのいずれの第２の受信側光ファイバからの確認用光信号を、複数の第２の送信側光ファイバのうちのいずれの第２の送信側光ファイバに合波するか切り替え自在にされたことを特徴とする請求項４記載の波長多重光通信装置。
【発明の詳細な説明】
【技術分野】
【０００１】
本発明は、送信部と受信部との間に接続される装置内光ファイバの誤接続を検出する波長多重光通信装置に関する。
【背景技術】
【０００２】
従来の光ファイバの誤接続検出に関する技術として、下記特許文献１には、光ソケットに光プラグを差し込むことで光ファイバを接続する光パッチパネルにおいて、正常な接続、入力側の光プラグの不具合、および出力側の光プラグの不具合の３状態に分けて表示器に表示するものが開示されている。【０００３】
また、従来の光ファイバの誤接続検出に関する技術として、下記特許文献２には、光信号毎に異なるＩＤ情報による強度変調を行う第１の光ファイバ増幅器と、強度変調されたＩＤ情報を解析することにより、光信号毎の接続状態を監視するモニタ回路と、第１の光ファイバ増幅器による強度変調成分を取り除く第２の光ファイバ増幅器とを備えた光伝送装置について開示されている。
【先行技術文献】
【特許文献】
【０００４】
【特許文献１】特開２００７−５７６４２号公報
【特許文献２】特開２００４−４０２４１号公報
【発明の概要】
【発明が解決しようとする課題】
【０００５】
従来の装置は以上のように構成されているので以下のような課題があった。
すなわち、上記特許文献１では、正しい接続箇所が予め固定的に決まっている装置を対象としたものであり、送信部のポートと受信部のポートとの接続箇所が任意に設定される場合における装置内光ファイバの誤接続を検出することができない課題があった。【０００６】
また、上記特許文献２では、第１の光ファイバ増幅器においてＩＤ情報による強度変調を行い、モニタ回路において強度変調されたＩＤ情報を解析し、第２の光ファイバ増幅器において強度変調成分を取り除く処理が必要になることから、接続状態を監視するための処理が煩雑になる課題があった。【０００７】
本発明は、以上のような課題を解消するためになされたものであり、簡易な構成により、送信部のポートと受信部のポートとの接続箇所が任意に設定される場合における装置内光ファイバの誤接続を検出する波長多重光通信装置を得ることを目的とする。
【課題を解決するための手段】
【０００８】
本発明の波長多重光通信装置は、入力ポートからの波長多重光を各々の波長毎に分波して各々の出力ポートから出力する光分波器、光分波器の各々の出力ポートに対応して設けられた送信側コネクタ、および光分波器の各々の出力ポートと、対応して設けられた各々の送信側コネクタとを接続する送信側光ファイバからなる送信部と、複数の入力ポートからの波長毎の光信号を合波して波長多重光を出力ポートから出力する光合波器、光合波器の各々の入力ポートに対応して設けられた受信側コネクタ、および光合波器の各々の入力ポートと、対応して設けられた各々の受信側コネクタとを接続する受信側光ファイバからなる受信部とを備え、送信側コネクタと受信側コネクタとが装置内光ファイバにより接続される波長多重光通信装置において、特定波長の確認用光信号を発生する接続確認用光源と、装置内光ファイバが接続された送信側コネクタと、対応する光分波器の出力ポートとを接続する送信側光ファイバに、特定波長の確認用光信号を合波する合波手段と、装置内光ファイバが接続された受信側コネクタと、対応する光合波器の入力ポートとを接続する受信側光ファイバから確認用光信号を分波する分波手段と、分波手段による確認用光信号のレベルを検出し、検出したレベルに応じて装置内光ファイバの誤接続を検出する誤接続検出手段とを備えたものである。
【発明の効果】
【０００９】
本発明によれば、接続確認用光源、合波手段、分波手段、および誤接続検出手段を備えるだけで装置内光ファイバの誤接続を検出することができ、簡易な構成により、送信部のポートと受信部のポートとの接続箇所が任意に設定される場合における装置内光ファイバの誤接続を検出することができる効果がある。
【図面の簡単な説明】
【００１０】
【図１】本発明の実施の形態１による波長多重光通信装置を示す回路図である。
【図２】本発明の実施の形態２による波長多重光通信装置を示す回路図である。
【図３】本発明の実施の形態３による波長多重光通信装置を示す回路図である。
【図４】本発明の実施の形態４による波長多重光通信装置を示す回路図である。
【図５】本発明の実施の形態５による波長多重光通信装置を示す回路図である。
【発明を実施するための形態】
【００１１】
以下、この発明をより詳細に説明するために、この発明を実施するための形態について、添付の図面に従って説明する。
実施の形態１．
図１は本発明の実施の形態１による波長多重光通信装置を示す回路図である。
図において、波長多重光通信装置は、送信部１、受信部３、および監視制御パッケージ９からなる。
【００１２】
送信部１において、光分波器１１は、入力ポート１２からの波長多重光を波長毎に分波して出力ポート１３１，１３２，・・・，１３ｎから出力する。
送信側コネクタ１４１，１４２，・・・，１４ｎは、光分波器１１の出力ポート１３１，１３２，・・・，１３ｎに対応して設けられる。
送信側光ファイバ１５１，１５２，・・・，１５ｎは、光分波器１１の出力ポート１３１，１３２，・・・，１３ｎと、対応して設けられた送信側コネクタ１４１，１４２，・・・，１４ｎとを接続する。
【００１３】
受信部３において、光合波器３１は、入力ポート３２１，３２２，・・・，３２ｎからの波長毎の光信号を合波して波長多重光を出力ポート３３から出力する。
受信側コネクタ３４１，３４２，・・・，３４ｎは、光合波器３１の入力ポート３２１，３２２，・・・，３２ｎに対応して設けられる。
受信側光ファイバ３５１，３５２，・・・，３５ｎは、光合波器３１の入力ポート３２１，３２２，・・・，３２ｎと、対応して設けられた受信側コネクタ３４１，３４２，・・・，３４ｎとを接続する。
【００１４】
また、装置内光ファイバ４は、任意の送信側コネクタ１４と任意の受信側コネクタ３４とが接続される。図１では、装置内光ファイバ４１により、送信側コネクタ１４１と受信側コネクタ３４１とが接続された例を示している。
【００１５】
さらに、送信部１において、カプラ（合波手段）１６１，１６２，・・・，１６ｎは、送信側光ファイバ１５１，１５２，・・・，１５ｎに設けられる。
プラガブルＬＤ（レーザダイオード）モジュール（接続確認用光源）１７は、運用波長外の特定波長λｐの確認用光信号を発生する。
検出用光ファイバ１８は、プラガブルＬＤモジュール１７に設けられ、先端がカプラ１６１，１６２，・・・，１６ｎに着脱自在にされる。
【００１６】
さらに、受信部３において、カプラ（分波手段）３６１，３６２，・・・，３６ｎは、受信側光ファイバ３５１，３５２，・・・，３５ｎに設けられる。
検出用光ファイバ３７１，３７２，・・・，３７ｎは、一端がカプラ３６１，３６２，・・・，３６ｎに接続され、他端が光スイッチ３８に接続される。
光スイッチ（切替手段）３８は、検出用光ファイバ３７１，３７２，・・・，３７ｎのうちのいずれかの確認用光信号を選択して出力する。
光フィルタ３９は、確認用光信号のノイズ成分を除去する。
レベル検出部（誤接続検出手段）４０は、確認用光信号のレベルを検出し、検出したレベルに応じたレベル信号を出力する。
【００１７】
さらに、監視制御パッケージ９において、誤接続検出部（誤接続検出手段）９１は、レベル信号と予め設定された閾値とを比較し、レベル信号が閾値以上の場合に正常接続であると判定し、レベル信号が閾値未満の場合に誤接続であると判定する。
【００１８】
次に動作について説明する。
光分波器１１には、波長選択スイッチ（図示せず）が内蔵され、入力ポート１２からの波長多重光を波長毎に分波して、任意に設定された出力ポート１３１，１３２，・・・，１３ｎから出力する。
また、光合波器３１にも、波長選択スイッチ（図示せず）が内蔵され、任意に設定された入力ポート３２１，３２２，・・・，３２ｎからの波長毎の光信号を合波して波長多重光を出力ポート３３から出力する。
【００１９】
さらに、装置内光ファイバ４は、任意の送信側コネクタ１４と任意の受信側コネクタ３４とに接続される。図１では、例えば、設計図に基づいて、装置内光ファイバ４１が、送信側コネクタ１４１と受信側コネクタ３４１とに接続された例を示している。
本実施の形態１は、装置内光ファイバ４１が、正しい送信側コネクタ１４および受信側コネクタ３４に接続され、誤接続されていないか検出するものである。
【００２０】
図１の送信部１において、プラガブルＬＤモジュール１７の検出用光ファイバ１８は、先端がカプラ１６１，１６２，・・・，１６ｎに着脱自在にされているので、検出用光ファイバ１８の先端を、カプラ１６１に接続する。
また、受信部３において、光スイッチ３８を、検出用光ファイバ３７１の確認用光信号を選択して出力されるようにする。
【００２１】
プラガブルＬＤモジュール１７を起動させると、運用波長外の特定波長λｐの確認用光信号を発生する。
この確認用光信号は、図１に示したように、検出用光ファイバ１８、カプラ１６１、送信側光ファイバ１５１、送信側コネクタ１４１、装置内光ファイバ４１、受信側コネクタ３４１、受信側光ファイバ３５１、カプラ３６１、検出用光ファイバ３７１、光スイッチ３８を通じて光フィルタ３９により、ノイズ成分が除去され、レベル検出部４０により、確認用光信号のレベルが検出される。
【００２２】
レベル検出部４０によるレベル信号は、監視制御パッケージ９に伝送され、誤接続検出部９１により、予め設定された閾値と比較される。
ここで、レベル信号が閾値以上の場合は、正常接続であると判定され、レベル信号が閾値未満の場合は、誤接続であると判定される。
【００２３】
図１では、プラガブルＬＤモジュール１７からレベル検出部４０までが閉路であることから、正常接続であると判定される。
しかし、例えば、装置内光ファイバ４１が、送信側コネクタ１４１および受信側コネクタ３４２間に接続されている場合は、プラガブルＬＤモジュール１７からレベル検出部４０までが開路となり、誤接続、すなわち、装置内光ファイバ４１の接続が間違っていると判定することができる。
【００２４】
なお、以上の説明では、図１に示したように、設計図に基づいて、装置内光ファイバ４１が、送信側コネクタ１４１と受信側コネクタ３４１とに接続された例での確認作業について説明した。
【００２５】
その他、設計図に基づいて、例えば、装置内光ファイバ４２が、送信側コネクタ１４２と受信側コネクタ３４２とに接続された例では、プラガブルＬＤモジュール１７の検出用光ファイバ１８の先端を、カプラ１６２に接続すると共に、光スイッチ３８を、検出用光ファイバ３７２の確認用光信号を選択して出力されるようにすれば、装置内光ファイバ４２が、正しい送信側コネクタ１４２および受信側コネクタ３４２に接続され、誤接続されていないか検出することができる。
【００２６】
また、設計図に基づいて、例えば、装置内光ファイバ４１が、送信側コネクタ１４１と受信側コネクタ３４２とに接続された例では、プラガブルＬＤモジュール１７の検出用光ファイバ１８の先端を、カプラ１６１に接続すると共に、光スイッチ３８を、検出用光ファイバ３７２の確認用光信号を選択して出力されるようにすれば、装置内光ファイバ４１が、正しい送信側コネクタ１４１および受信側コネクタ３４２に接続され、誤接続されていないか検出することができる。
【００２７】
以上のように、本実施の形態１によれば、プラガブルＬＤモジュール１７、検出用光ファイバ１８，３７１，３７２，・・・，３７ｎ、カプラ１６１，１６２，・・・，１６ｎ，３６１，３６２，・・・，３６ｎ、光スイッチ３８、光フィルタ３９、レベル検出部４０、および誤接続検出部９１を備えるだけで装置内光ファイバ４１の誤接続を検出することができ、簡易な構成により、送信部１のポートと受信部３のポートとの接続箇所が任意に設定される場合における装置内光ファイバ４の誤接続を検出することができる。
【００２８】
また、光分波器１１および光合波器３１を跨がずに特定波長λｐの確認用光信号が伝送されるので、光分波器１１および光合波器３１に内蔵される波長選択スイッチのポート設定に関わらず、装置内光ファイバ４の物理的接続を確認することができる。
【００２９】
さらに、プラガブルＬＤモジュール１７は、運用波長外の確認用光信号を発生するので、他装置の運用波長に影響を及ぼすことなく、接続された装置内光ファイバ４の確認作業を実施することができる。
【００３０】
さらに、プラガブルＬＤモジュール１７は、検出用光ファイバ１８の先端を、カプラ１６１，１６２，・・・，１６ｎに着脱自在にしたので、容易に確認作業を実施することができる。
また、プラガブルＬＤモジュール１７および検出用光ファイバ１８は、確認作業時にしか用いることなく、さらに、簡易な構成により、低コストで製作することができる。
【００３１】
さらに、カプラ３６１，３６２，・・・，３６ｎに検出用光ファイバ３７１，３７２，・・・，３７ｎを接続し、光スイッチ３８により、確認用光信号を選択して出力するようにしたので、容易に確認作業を実施することができる。
【００３２】
なお、上記実施の形態１では、受信部３において、カプラ３６１，３６２，・・・，３６ｎに検出用光ファイバ３７１，３７２，・・・，３７ｎを接続し、光スイッチ３８により、確認用光信号を選択して出力するようにした。
これに代えて、カプラ３６１，３６２，・・・，３６ｎに、一端が着脱自在な検出用光ファイバ３７を設け、検出用光ファイバ３７の他端が光フィルタ３９に接続されるものであっても良く、光スイッチ３８の選択の代わりに、カプラ３６１，３６２，・・・，３６ｎのうちのいずれのカプラに検出用光ファイバ３７の一端を接続するか選択するようにする。
この場合、光スイッチ３８および複数の検出用光ファイバ３７１，３７２，・・・，３７ｎが不要になることから、さらに、構成を簡易化することができる。
【００３３】
実施の形態２．
図２は本発明の実施の形態２による波長多重光通信装置を示す回路図である。
送信部１において、カプラ（合波手段）１９は、光分波器１１の入力ポート１２に接続される光ファイバ２０に設けられる。
フルチュナー・プラガブルＬＤモジュール（接続確認用光源）２１は、運用波長λ１〜λｎのうちの任意の波長を選択して確認用光信号として発生する。
検出用光ファイバ２２は、フルチュナー・プラガブルＬＤモジュール２１に設けられ、先端がカプラ１９に着脱自在にされる。
【００３４】
受信部３において、カプラ（分波手段）４１は、光合波器３１の出力ポート３３に接続される光ファイバ４２に設けられる。
検出用光ファイバ４３は、光フィルタ３９に設けられ、一端がカプラ４１に着脱自在にされる。
その他の構成については、図１と同一構成について同一符号を付して、重複する説明を省略する。
【００３５】
次に動作について説明する。
図２では、例えば、設計図に基づいて、装置内光ファイバ４１が、送信側コネクタ１４１と受信側コネクタ３４１とに接続された例を示している。
また、光分波器１１に内蔵された波長選択スイッチは、入力ポート１２からの波長多重光を波長毎に分波して、出力ポート１３１から波長λ１の光信号を出力するように設定されているものとする。
さらに、光合波器３１に内蔵された波長選択スイッチは、入力ポート３２１からの波長λ１の光信号を合波して波長多重光を出力ポート３３から出力するように設定されているものとする。
【００３６】
本実施の形態２は、装置内光ファイバ４１が、正しい送信側コネクタ１４および受信側コネクタ３４に接続され、誤接続されていないか検出するものである。
また、光分波器１１に内蔵された波長選択スイッチが、入力ポート１２からの波長多重光を分波して、出力ポート１３１から波長λ１の光信号を出力するように設定されているか、さらに、光合波器３１に内蔵された波長選択スイッチが、入力ポート３２１からの波長λ１の光信号を合波して出力ポート３３から出力するように設定されているか検出するものである。
【００３７】
図２の送信部１において、フルチュナー・プラガブルＬＤモジュール２１の検出用光ファイバ２２は、先端がカプラ１９に着脱自在にされているので、検出用光ファイバ２２の先端を、カプラ１９に接続する。
また、受信部３において、光フィルタ３９の検出用光ファイバ４３は、先端がカプラ４１に着脱自在にされているので、検出用光ファイバ４３の先端を、カプラ４１に接続する。
【００３８】
フルチュナー・プラガブルＬＤモジュール２１を起動させ、確認対象である出力ポート１３１からの光信号の波長λ１と同一波長の確認用光信号を出力するように調整する。
この確認用光信号は、図２に示したように、検出用光ファイバ２２、カプラ１９、光ファイバ２０、入力ポート１２を通じて、光分波器１１に内蔵される波長選択スイッチにより、出力ポート１３１から波長λ１の確認用光信号を出力するように選択される。
また、送信側光ファイバ１５１、送信側コネクタ１４１、装置内光ファイバ４１、受信側コネクタ３４１、受信側光ファイバ３５１、入力ポート３２１を通じて、光合波器３１に内蔵される波長選択スイッチにより、入力ポート３２１からの波長λ１の確認用光信号を出力ポート３３から出力するように選択される。
さらに、光ファイバ４２、カプラ４１、検出用光ファイバ４３を通じて光フィルタ３９により、ノイズ成分が除去され、レベル検出部４０により、確認用光信号のレベルが検出される。
【００３９】
レベル検出部４０によるレベル信号は、監視制御パッケージ９に伝送され、誤接続検出部９１により、予め設定された閾値と比較される。
ここで、レベル信号が閾値以上の場合は、正常接続であると判定され、レベル信号が閾値未満の場合は、誤接続であると判定される。
【００４０】
図２において、光分波器１１に内蔵された波長選択スイッチが、入力ポート１２からの波長多重光を分波して、出力ポート１３１から波長λ１の光信号を出力するように設定され、装置内光ファイバ４１が、送信側コネクタ１４１および受信側コネクタ３４１に接続され、光合波器３１に内蔵された波長選択スイッチが、入力ポート３２１からの波長λ１の光信号を合波して出力ポート３３から出力するように設定されている場合には、フルチュナー・プラガブルＬＤモジュール２１からレベル検出部４０までが閉路であることから、正常接続であると判定される。
しかし、光分波器１１または光合波器３１に内蔵された波長選択スイッチの設定、または、装置内光ファイバ４１の接続に間違いがある場合には、フルチュナー・プラガブルＬＤモジュール２１からレベル検出部４０までが開路となり、誤接続と判定することができる。
【００４１】
なお、以上の説明では、図２に示したように、設計図に基づいて、装置内光ファイバ４１が、送信側コネクタ１４１と受信側コネクタ３４１とに接続された例での確認作業について説明した。
【００４２】
その他、設計図に基づいて、例えば、装置内光ファイバ４２が、送信側コネクタ１４２と受信側コネクタ３４２とに接続され、光分波器１１に内蔵された波長選択スイッチが、入力ポート１２からの波長多重光を分波して、出力ポート１３２から波長λ２の光信号を出力するように設定され、光合波器３１に内蔵された波長選択スイッチが、入力ポート３２２からの波長λ２の光信号を合波して出力ポート３３から出力するように設定された例では、フルチュナー・プラガブルＬＤモジュール２１から波長λ２の確認用光信号を出力させるようにすれば、装置内光ファイバ４２の接続と共に、波長選択スイッチの設定の確認を行うことができる。
【００４３】
このように、確認対象の装置内光ファイバ４が接続された光分波器１１の出力ポート１３からの光信号の波長λと同一波長の確認用光信号をフルチュナー・プラガブルＬＤモジュール２１から出力することで、確認対象の装置内光ファイバ４の接続、および波長選択スイッチの設定の確認を行うことができる。
【００４４】
以上のように、本実施の形態２によれば、フルチュナー・プラガブルＬＤモジュール２１、検出用光ファイバ２２，４３、カプラ１９，４１、光フィルタ３９、レベル検出部４０、および誤接続検出部９１を備えるだけで装置内光ファイバ４１の誤接続を検出することができ、簡易な構成により、送信部１のポートと受信部３のポートとの接続箇所が任意に設定される場合における装置内光ファイバ４の誤接続を検出することができる。
【００４５】
また、光分波器１１および光合波器３１に内蔵された波長選択スイッチの設定も含めて確認することができる。
【００４６】
さらに、フルチュナー・プラガブルＬＤモジュール２１は、検出用光ファイバ２２の先端を、カプラ１９に着脱自在にしたので、容易に確認作業を実施することができる。
また、フルチュナー・プラガブルＬＤモジュール２１および検出用光ファイバ２２は、確認作業時にしか用いることなく、さらに、簡易な構成により、低コストで製作することができる。
【００４７】
さらに、光フィルタ３９は、検出用光ファイバ４３の先端を、カプラ４１に着脱自在にしたので、容易に確認作業を実施することができる。
また、光フィルタ３９、検出用光ファイバ４３、レベル検出器４０および監視制御パッケージ９は、確認作業時にしか用いることなく、さらに、簡易な構成により、低コストで製作することができる。
【００４８】
実施の形態３．
図３は本発明の実施の形態３による波長多重光通信装置を示す回路図である。
図において、波長多重光通信装置は、送信部１、受信部３、監視制御パッケージ９、および光送信機パッケージ（確認用複数波長光信号供給手段）１００からなる。
【００４９】
光送信機パッケージ１００において、トランスポンダ１０１１，１０１２，・・・，１０１ｎは、光分波器１１の出力ポート１３１，１３２，・・・，１３ｎからの光信号の波長λ１，λ２，・・・，λｎと同一波長の光信号を出力する。
光合波器１０２は、トランスポンダ１０１１，１０１２，・・・，１０１ｎからの波長毎の光信号を合波して、確認用複数波長光信号として光ファイバ２０に出力する。
【００５０】
受信部３において、ＯＣＭ（光チャネルモニタ：誤接続検出手段）４４は、確認用複数波長光信号を、波長λ１，λ２，・・・，λｎ毎に分離して、各波長毎のレベルを検出し、各波長毎のレベル信号を出力する。
なお、検出用光ファイバ４３は、ＯＣＭ４４に設けられ、一端がカプラ４１に着脱自在にされる。
監視制御パッケージ９において、誤接続検出部（誤接続検出手段）９２は、波長λ１，λ２，・・・，λｎ毎のレベル信号と予め設定された閾値とを比較し、レベル信号が閾値以上の場合に、さらに、レベル信号が閾値以上の波長と予め設定された波長とを比較し、一致する場合に正常接続であると判定し、一致しない場合に誤接続であると判定する。
その他の構成については、図１と同一構成について同一符号を付して、重複する説明を省略する。
【００５１】
次に動作について説明する。
図３では、例えば、設計図に基づいて、装置内光ファイバ４１，４２，・・・，４ｎが、送信側コネクタ１４１，１４２，・・・，１４ｎと受信側コネクタ３４１，３４２，・・・，３４ｎとに接続された例を示している。
また、光分波器１１に内蔵された波長選択スイッチは、入力ポート１２からの波長多重光を波長毎に分波して、出力ポート１３１，１３２，・・・，１３ｎから波長λ１，λ２，・・・，λｎの光信号を出力するように設定されているものとする。
さらに、光合波器３１に内蔵された波長選択スイッチは、入力ポート３２１，３２２，・・・，３２ｎからの波長λ１，λ２，・・・，λｎの光信号を合波して波長多重光を出力ポート３３から出力するように設定されているものとする。
【００５２】
本実施の形態３は、装置内光ファイバ４１，４２，・・・，４ｎが、正しい送信側コネクタ１４および受信側コネクタ３４に接続され、誤接続されていないか検出するものである。
また、光分波器１１および光合波器３１に内蔵された波長選択スイッチが正しく設定されているか検出するものである。
【００５３】
図３示した光送信機パッケージ１００は、運用波長を送信するクライアントインターフェース部のトランスポンダ１０１１，１０１２，・・・，１０１ｎを搭載したパッケージであり、各トランスポンダ１０１１，１０１２，・・・，１０１ｎからは、波長λ１，λ２，・・・，λｎの光信号が出力され、各トランスポンダの後段に設けられた光合波器１０２により合波され、確認用複数波長光信号として光ファイバ２０に出力される。
【００５４】
この確認用複数波長光信号は、図３に示したように、入力ポート１２を通じて、光分波器１１に内蔵される波長選択スイッチにより、出力ポート１３１，１３２，・・・，１３ｎから波長λ１，λ２，・・・，λｎの光信号に分波され出力される。
また、送信側光ファイバ１５１，１５２，・・・，１５ｎ、送信側コネクタ１４１，１４２，・・・，１４ｎ、装置内光ファイバ４１，４２，・・・，４ｎ、受信側コネクタ３４１，３４２，・・・，３４ｎ、受信側光ファイバ３５１，３５２，・・・，３５ｎ、入力ポート３２１，３２２，・・・，３２ｎを通じて、光合波器３１に内蔵される波長選択スイッチにより、入力ポート３２１，３２２，・・・，３２ｎからの波長λ１，λ２，・・・，λｎの光信号を合波して、出力ポート３３から確認用複数波長光信号を出力するように選択される。
さらに、光ファイバ４２、カプラ４１、検出用光ファイバ４３を通じてＯＣＭ４４により、確認用複数波長光信号を、波長λ１，λ２，・・・，λｎ毎に分離して、分離した波長毎の各レベルが検出される。検出した波長毎のレベルは、各波長毎のレベル信号として出力される。
【００５５】
ＯＣＭ４４による波長λ１，λ２，・・・，λｎ毎のレベル信号は、監視制御パッケージ９に伝送され、誤接続検出部９２により、波長λ１，λ２，・・・，λｎ毎のレベル信号と予め設定された閾値とが比較され、さらに、レベル信号が閾値以上の波長については、予め設定された波長、この場合は、波長λ１，λ２，・・・，λｎと比較され、一致する場合に正常接続であると判定し、一致しない場合に誤接続であると判定する。
【００５６】
図３において、光分波器１１に内蔵された波長選択スイッチが、入力ポート１２からの波長多重光を分波して、出力ポート１３１，１３２，・・・，１３ｎから波長λ１，λ２，・・・，λｎの光信号を出力するように設定され、装置内光ファイバ４１，４２，・・・，４ｎが、送信側コネクタ１４１，１４２，・・・，１４ｎおよび受信側コネクタ３４１，３４２，・・・，３４ｎに接続され、光合波器３１に内蔵された波長選択スイッチが、入力ポート３２１，３２２，・・・，３２ｎからの波長λ１，λ２，・・・，λｎの光信号を合波して出力ポート３３から出力するように設定されている場合には、光送信機パッケージ１００からＯＣＭ４４までが閉路であることから、正常接続であると判定される。
しかし、光分波器１１または光合波器３１に内蔵された波長選択スイッチの設定、または、装置内光ファイバ４１，４２，・・・，４ｎの接続に間違いがある場合には、光送信機パッケージ１００からＯＣＭ４４までが開路となり、誤接続と判定することができる。
【００５７】
このように、確認対象の装置内光ファイバ４が接続された光分波器１１の出力ポート１３からの光信号の波長λと同一波長の確認用複数波長光信号を光送信機パッケージ１００から出力することで、確認対象の装置内光ファイバ４の接続、および波長選択スイッチの設定の確認を行うことができる。
【００５８】
以上のように、本実施の形態３によれば、光送信機パッケージ１００、ＯＣＭ４４、および誤接続検出部９２を備えるだけで装置内光ファイバ４１，４２，・・・，４ｎの誤接続を検出することができ、簡易な構成により、送信部１のポートと受信部３のポートとの接続箇所が任意に設定される場合における装置内光ファイバ４の誤接続を検出することができる。
【００５９】
また、光分波器１１および光合波器３１に内蔵された波長選択スイッチの設定も含めて確認することができる。
【００６０】
さらに、光送信機パッケージ１００、ＯＣＭ４４、および誤接続検出部９２により、一度に複数の波長について確認することができ、確認作業を効率的に行うことができる。
【００６１】
さらに、ＯＣＭ４４は、検出用光ファイバ４３の先端を、カプラ４１に着脱自在にしたので、容易に確認作業を実施することができる。
また、検出用光ファイバ４３、ＯＣＭ４４、および監視制御パッケージ９は、確認作業時にしか用いることなく、さらに、簡易な構成により、低コストで製作することができる。
【００６２】
実施の形態４．
図４は本発明の実施の形態４による波長多重光通信装置を示す回路図である。
図において、波長多重光通信装置は、パッケージ２００Ａ，２００Ｂ、および監視制御パッケージ９からなる。
また、パッケージ２００Ａは、送信部１および受信部７からなり、パッケージ２００Ｂは、受信部３および送信部５からなる。
【００６３】
パッケージ２００Ｂの送信部５において、光分波器５１は、入力ポート５２からの波長多重光を波長毎に分波して出力ポート５３１，５３２，・・・，５３ｎから出力する。
送信側コネクタ５４１，５４２，・・・，５４ｎは、光分波器５１の出力ポート５３１，５３２，・・・，５３ｎに対応して設けられる。
送信側光ファイバ５５１，５５２，・・・，５５ｎは、光分波器５１の出力ポート５３１，５３２，・・・，５３ｎと、対応して設けられた送信側コネクタ５４１，５４２，・・・，５４ｎとを接続する。
【００６４】
パッケージ２００Ａの受信部７において、光合波器７１は、入力ポート７２１，７２２，・・・，７２ｎからの波長毎の光信号を合波して波長多重光を出力ポート７３から出力する。
受信側コネクタ７４１，７４２，・・・，７４ｎは、光合波器７１の入力ポート７２１，７２２，・・・，７２ｎに対応して設けられる。
受信側光ファイバ７５１，７５２，・・・，７５ｎは、光合波器７１の入力ポート７２１，７２２，・・・，７２ｎと、対応して設けられた受信側コネクタ７４１，７４２，・・・，７４ｎとを接続する。
【００６５】
また、装置内光ファイバ８は、任意の送信側コネクタ５４と任意の受信側コネクタ７４とが接続される。図４では、装置内光ファイバ８１により、送信側コネクタ５４１と受信側コネクタ７４１とが接続された例を示している。
【００６６】
さらに、パッケージ２００Ｂの送信部５において、カプラ（第２の合波手段）５６１，５６２，・・・，５６ｎは、送信側光ファイバ５５１，５５２，・・・，５５ｎに設けられる。
検出用光ファイバ５７１，５７２，・・・，５７ｎは、一端がカプラ５６１，５６２，・・・，５６ｎに接続され、他端が光スイッチ５８に接続される。
検出用光ファイバ５９は、光フィルタ３９の出力端と、光スイッチ５８の入力端に接続される。
光スイッチ（切替手段）５８は、光フィルタ３９を通過した確認用光信号を、検出用光ファイバ５７１，５７２，・・・，５７ｎのうちのいずれかを選択して出力する。
【００６７】
さらに、パッケージ２００Ａの受信部７において、カプラ（第２の分波手段）７６１，７６２，・・・，７６ｎは、受信側光ファイバ７５１，７５２，・・・，７５ｎに設けられる。
レベル検出部（誤接続検出手段）７７は、確認用光信号のレベルを検出し、検出したレベルに応じたレベル信号を出力する。
検出用光ファイバ７８は、レベル検出部７７に設けられ、一端がカプラ７６１，７６２，・・・，７６ｎに着脱自在にされる。
その他の構成については、図１と同一構成について同一符号を付して、重複する説明を省略する。
【００６８】
次に動作について説明する。
上記実施の形態１では、送信部１および受信部３間の接続についてのみ確認したが、本実施の形態４では、送信部１および受信部３間の接続に、送信部５および受信部７間の接続を加えることで、往復の接続を確認するものである。
【００６９】
図４では、例えば、設計図に基づいて、装置内光ファイバ４１が、送信側コネクタ１４１と受信側コネクタ３４１とに接続され、装置内光ファイバ８１が、送信側コネクタ５４１と受信側コネクタ７４１とに接続された例を示している。
本実施の形態４は、装置内光ファイバ４１が、正しい送信側コネクタ１４および受信側コネクタ３４に接続され、装置内光ファイバ８１が、正しい送信側コネクタ５４および受信側コネクタ７４に接続され、誤接続されていないか検出するものである。
【００７０】
図４の送信部１において、プラガブルＬＤモジュール１７の検出用光ファイバ１８は、先端がカプラ１６１，１６２，・・・，１６ｎに着脱自在にされているので、検出用光ファイバ１８の先端を、カプラ１６１に接続する。
また、受信部３において、光スイッチ３８を、検出用光ファイバ３７１の確認用光信号を選択して出力されるようにする。
さらに、送信部５において、光スイッチ５８を、検出用光ファイバ５７１に確認用光信号が出力されるよう選択にする。
さらに、レベル検出器７７の検出用光ファイバ７８は、先端がカプラ７６１，７６２，・・・，７６ｎに着脱自在にされているので、検出用光ファイバ７８の先端を、カプラ７６１に接続する。
【００７１】
プラガブルＬＤモジュール１７を起動させると、運用波長外の特定波長λｐの確認用光信号を発生する。
この確認用光信号は、図４に示したように、検出用光ファイバ１８、カプラ１６１、送信側光ファイバ１５１、送信側コネクタ１４１、装置内光ファイバ４１、受信側コネクタ３４１、受信側光ファイバ３５１、カプラ３６１、検出用光ファイバ３７１、光スイッチ３８を通じて光フィルタ３９により、ノイズ成分が除去される。
ノイズ成分が除去された確認用光信号は、検出用光ファイバ５９、光スイッチ５８、検出用光ファイバ５７１、カプラ５６１、送信側光ファイバ５５１、送信側コネクタ５４１、装置内光ファイバ８１、受信側コネクタ７４１、受信側光ファイバ７５１、カプラ７６１、検出用光ファイバ７８を通じてレベル検出部７７により、確認用光信号のレベルが検出される。
【００７２】
レベル検出部７７によるレベル信号は、監視制御パッケージ９に伝送され、誤接続検出部９１により、予め設定された閾値と比較される。
ここで、レベル信号が閾値以上の場合は、正常接続であると判定され、レベル信号が閾値未満の場合は、誤接続であると判定される。
【００７３】
図４では、プラガブルＬＤモジュール１７からレベル検出部７７までが閉路であることから、正常接続であると判定される。
しかし、例えば、装置内光ファイバ４１が、送信側コネクタ１４１および受信側コネクタ３４２間に接続されたり、装置内光ファイバ８１が、送信側コネクタ５４３および受信側コネクタ７４１間に接続されている場合は、プラガブルＬＤモジュール１７からレベル検出部７７までが開路となり、誤接続、すなわち、装置内光ファイバ４１または装置内光ファイバ８１の接続が間違っていると判定することができる。
【００７４】
以上のように、本実施の形態４によれば、プラガブルＬＤモジュール１７、検出用光ファイバ１８，３７１，３７２，・・・，３７ｎ，５７１，５７２，・・・，５７ｎ，７８、カプラ１６１，１６２，・・・，１６ｎ，３６１，３６２，・・・，３６ｎ，５６１，５６２，・・・，５６ｎ，７６１，７６２，・・・，７６ｎ、光スイッチ３８，５８、光フィルタ３９、レベル検出部７７、および誤接続検出部９１を備えるだけで装置内光ファイバ４１，８１の誤接続を検出することができ、簡易な構成により、送信部１，５のポートと受信部３，７のポートとの接続箇所が任意に設定される場合における装置内光ファイバ４，８の誤接続を検出することができる。
【００７５】
また、光分波器１１，５１および光合波器３１，７１を跨がずに特定波長λｐの確認用光信号が伝送されるので、光分波器１１，５１および光合波器３１，７１に内蔵される波長選択スイッチのポート設定に関わらず、装置内光ファイバ４，８の物理的接続を確認することができる。
【００７６】
さらに、送信部１および受信部３間の装置内光ファイバ４の接続に、送信部５および受信部７間の装置内光ファイバ８の接続を加えることで、一度に往復の接続を確認することができる。
【００７７】
さらに、カプラ３６１，３６２，・・・，３６ｎに検出用光ファイバ３７１，３７２，・・・，３７ｎを接続し、光スイッチ３８により、確認用光信号を選択して出力するようにし、また、カプラ５６１，５６２，・・・，５６ｎに検出用光ファイバ５７１，５７２，・・・，５７ｎを接続し、光スイッチ５８により、確認用光信号の出力を選択するようにしたので、容易に確認作業を実施することができる。
【００７８】
なお、上記実施の形態４では、受信部３において、カプラ３６１，３６２，・・・，３６ｎに検出用光ファイバ３７１，３７２，・・・，３７ｎを接続し、光スイッチ３８により、確認用光信号を選択して出力するようにし、また、カプラ５６１，５６２，・・・，５６ｎに検出用光ファイバ５７１，５７２，・・・，５７ｎを接続し、光スイッチ５８により、確認用光信号の出力を選択するようにした。
これに代えて、カプラ３６１，３６２，・・・，３６ｎに、一端が着脱自在な検出用光ファイバ３７を設け、検出用光ファイバ３７の他端が光フィルタ３９の入力端に接続され、
カプラ５６１，５６２，・・・，５６ｎに、一端が着脱自在な検出用光ファイバ５７を設け、検出用光ファイバ５７の他端が光フィルタ３９の出力端に接続されるものであっても良く、光スイッチ３８，５８の選択の代わりに、カプラ３６１，３６２，・・・，３６ｎのうちのいずれのカプラに検出用光ファイバ３７の一端を接続するか、また、カプラ５６１，５６２，・・・，５６ｎのうちのいずれのカプラに検出用光ファイバ５７の一端を接続するか、選択するようにする。
この場合、光スイッチ３８，５８および複数の検出用光ファイバ３７１，３７２，・・・，３７ｎ，５７１，５７２，・・・，５７ｎが不要になることから、さらに、構成を簡易化することができる。
【００７９】
実施の形態５．
図５は本発明の実施の形態５による波長多重光通信装置を示す回路図である。
パッケージ２００Ｂの送信部５において、カプラ（第２の合波手段）６０は、光分波器５１の入力ポート５２に接続される光ファイバ６１に設けられる。
検出用光ファイバ６２は、光フィルタ３９の出力端に設けられ、一端がカプラ６０に着脱自在にされる。
【００８０】
パッケージ２００Ａの受信部７において、カプラ（第１の分波手段）７９は、光合波器７１の出力ポート７３に接続される光ファイバ８０に設けられる。
検出用光ファイバ８１は、レベル検出器７７に設けられ、一端がカプラ７９に着脱自在にされる。
その他の構成については、図４と同一構成について同一符号を付して、重複する説明を省略する。
【００８１】
次に動作について説明する。
上記実施の形態２では、送信部１および受信部３間の接続についてのみ確認したが、本実施の形態５では、送信部１および受信部３間の接続に、送信部５および受信部７間の接続を加えることで、往復の接続を確認するものである。
【００８２】
図５では、例えば、設計図に基づいて、装置内光ファイバ４１が、送信側コネクタ１４１と受信側コネクタ３４１とに接続され、装置内光ファイバ８１が、送信側コネクタ５４１と受信側コネクタ７４１とに接続された例を示している。
また、光分波器１１に内蔵された波長選択スイッチは、入力ポート１２からの波長多重光を波長毎に分波して、出力ポート１３１から波長λ１の光信号を出力するように設定されているものとする。
さらに、光合波器３１に内蔵された波長選択スイッチは、入力ポート３２１からの波長λ１の光信号を合波して波長多重光を出力ポート３３から出力するように設定されているものとする。
さらに、光分波器５１に内蔵された波長選択スイッチは、入力ポート５２からの波長多重光を波長毎に分波して、出力ポート５３１から波長λ１の光信号を出力するように設定されているものとする。
さらに、光合波器７１に内蔵された波長選択スイッチは、入力ポート７２１からの波長λ１の光信号を合波して波長多重光を出力ポート７３から出力するように設定されているものとする。
【００８３】
本実施の形態５は、装置内光ファイバ４１が、正しい送信側コネクタ１４および受信側コネクタ３４に接続され、装置内光ファイバ８１が、正しい送信側コネクタ５４および受信側コネクタ７４に接続され、誤接続されていないか検出するものである。
また、光分波器１１に内蔵された波長選択スイッチが、入力ポート１２からの波長多重光を分波して、出力ポート１３１から波長λ１の光信号を出力するように設定されているか、さらに、光合波器３１に内蔵された波長選択スイッチが、入力ポート３２１からの波長λ１の光信号を合波して出力ポート３３から出力するように設定されているか、さらに、光分波器５１に内蔵された波長選択スイッチが、入力ポート５２からの波長多重光を分波して、出力ポート５３１から波長λ１の光信号を出力するように設定されているか、さらに、光合波器７１に内蔵された波長選択スイッチが、入力ポート７２１からの波長λ１の光信号を合波して出力ポート７３から出力するように設定されているか、検出するものである。
【００８４】
図５の送信部１において、フルチュナー・プラガブルＬＤモジュール２１の検出用光ファイバ２２は、先端がカプラ１９に着脱自在にされているので、検出用光ファイバ２２の先端を、カプラ１９に接続する。
また、受信部３において、光フィルタ３９の検出用光ファイバ４３は、先端がカプラ４１に着脱自在にされているので、検出用光ファイバ４３の先端を、カプラ４１に接続する。
さらに、送信部５において、光フィルタ３９の検出用光ファイバ６２は、先端がカプラ６０に着脱自在にされているので、検出用光ファイバ６２の先端を、カプラ６０に接続する。
さらに、受信部７において、レベル検出器７７の検出用光ファイバ８１は、先端がカプラ７９に着脱自在にされているので、検出用光ファイバ８１の先端を、カプラ７９に接続する。
【００８５】
フルチュナー・プラガブルＬＤモジュール２１を起動させ、確認対象である出力ポート１３１からの光信号の波長λ１と同一波長の確認用光信号を出力するように調整する。
この確認用光信号は、図５に示したように、検出用光ファイバ２２、カプラ１９、光ファイバ２０、入力ポート１２を通じて、光分波器１１に内蔵される波長選択スイッチにより、出力ポート１３１から波長λ１の確認用光信号を出力するように選択される。
また、送信側光ファイバ１５１、送信側コネクタ１４１、装置内光ファイバ４１、受信側コネクタ３４１、受信側光ファイバ３５１、入力ポート３２１を通じて、光合波器３１に内蔵される波長選択スイッチにより、入力ポート３２１からの波長λ１の確認用光信号を出力ポート３３から出力するように選択される。
さらに、光ファイバ４２、カプラ４１、検出用光ファイバ４３を通じて光フィルタ３９により、ノイズ成分が除去される。
さらに、ノイズ成分が除去された確認用光信号は、検出用光ファイバ６２、カプラ６０、光ファイバ６１、入力ポート５２を通じて、光分波器５１に内蔵される波長選択スイッチにより、出力ポート５３１から波長λ１の確認用光信号を出力するように選択される。
さらに、送信側光ファイバ５５１、送信側コネクタ５４１、装置内光ファイバ８１、受信側コネクタ７４１、受信側光ファイバ７５１、入力ポート７２１を通じて、光合波器７１に内蔵される波長選択スイッチにより、入力ポート７２１からの波長λ１の確認用光信号を出力ポート７３から出力するように選択される。
さらに、光ファイバ８０、カプラ７９、検出用光ファイバ８１を通じて、レベル検出部７７により、確認用光信号のレベルが検出される。
【００８６】
レベル検出部７７によるレベル信号は、監視制御パッケージ９に伝送され、誤接続検出部９１により、予め設定された閾値と比較される。
ここで、レベル信号が閾値以上の場合は、正常接続であると判定され、レベル信号が閾値未満の場合は、誤接続であると判定される。
【００８７】
図５において、光分波器１１に内蔵された波長選択スイッチが、入力ポート１２からの波長多重光を分波して、出力ポート１３１から波長λ１の光信号を出力するように設定され、装置内光ファイバ４１が、送信側コネクタ１４１および受信側コネクタ３４１に接続され、光合波器３１に内蔵された波長選択スイッチが、入力ポート３２１からの波長λ１の光信号を合波して出力ポート３３から出力するように設定され、さらに、光分波器５１に内蔵された波長選択スイッチが、入力ポート５２からの波長多重光を分波して、出力ポート５３１から波長λ１の光信号を出力するように設定され、装置内光ファイバ８１が、送信側コネクタ５４１および受信側コネクタ７４１に接続され、光合波器７１に内蔵された波長選択スイッチが、入力ポート７２１からの波長λ１の光信号を合波して出力ポート７３から出力するように設定されている場合には、フルチュナー・プラガブルＬＤモジュール２１からレベル検出部７７までが閉路であることから、正常接続であると判定される。
しかし、光分波器１１，５１または光合波器３１，７１に内蔵された波長選択スイッチの設定、または、装置内光ファイバ４１，８１の接続に間違いがある場合には、フルチュナー・プラガブルＬＤモジュール２１からレベル検出部７７までが開路となり、誤接続と判定することができる。
【００８８】
以上のように、本実施の形態５によれば、フルチュナー・プラガブルＬＤモジュール２１、検出用光ファイバ２２，４３，６２，８１、カプラ１９，４１，６０，７９、光フィルタ３９、レベル検出部７７、および誤接続検出部９１を備えるだけで装置内光ファイバ４１，８１の誤接続を検出することができ、簡易な構成により、送信部１，５のポートと受信部３，７のポートとの接続箇所が任意に設定される場合における装置内光ファイバ４，８の誤接続を検出することができる。
【００８９】
また、光分波器１１，５１および光合波器３１，７１に内蔵された波長選択スイッチの設定も含めて確認することができる。
【００９０】
さらに、送信部１および受信部３間の装置内光ファイバ４の接続に、送信部５および受信部７間の装置内光ファイバ８の接続を加えることで、一度に往復の接続を確認することができる。
【００９１】
さらに、光フィルタ３９は、検出用光ファイバ４３の先端を、カプラ４１に着脱自在にすると共に、検出用光ファイバ６２の先端を、カプラ６０に着脱自在にしたので、容易に確認作業を実施することができる。
また、光フィルタ３９、検出用光ファイバ４３，６２，８１、レベル検出器７７および監視制御パッケージ９は、確認作業時にしか用いることなく、さらに、簡易な構成により、低コストで製作することができる。
【００９２】
なお、本願発明はその発明の範囲内において、各実施の形態の自由な組み合わせ、あるいは各実施の形態の任意の構成要素の変形、もしくは各実施の形態において任意の構成要素の省略が可能である。
【産業上の利用可能性】
【００９３】
この発明に係る波長多重光通信装置は、接続確認用光源、合波手段、分波手段、および誤接続検出手段を備え、簡易な構成により光ファイバの誤接続を検出することができるので、送信部のポートと受信部のポートとの接続箇所が任意に設定される装置内光ファイバの誤接続を検出する波長多重光通信装置に用いるのに適している。
【符号の説明】
【００９４】
１，５  送信部、３，７  受信部、４，４１，４２，８  装置内光ファイバ、９  監視制御パッケージ、１１，５１  光分波器、１２，３２１，３２２，・・・，３２ｎ，５２，７２１，７２２，・・・，７２ｎ  入力ポート、１３１，１３２，・・・，１３ｎ，３３，５３１，５３２，・・・，５３ｎ，７３  出力ポート、１４，１４１，１４２，・・・，１４ｎ，５４１，５４２，・・・，５４ｎ  送信側コネクタ、１５１，１５２，・・・，１５ｎ  送信側光ファイバ、１６１，１６２，・・・，１６ｎ，１９  カプラ（合波手段、第１の合波手段）、１７  プラガブルＬＤモジュール（接続確認用光源）、１８，２２，３７１，３７２，・・・，３７ｎ，４３，５７１，５７２，・・・，５７ｎ，５９，６２，７８，８１  検出用光ファイバ、２０，４２，６１，８０  光ファイバ、２１  フルチュナー・プラガブルＬＤモジュール（接続確認用光源）、３１，７１，１０２  光合波器、３４，３４１，３４２，・・・，３４ｎ  受信側コネクタ、３５１，３５２，・・・，３５ｎ，７５１，７５２，・・・，７５ｎ  受信側光ファイバ、３６１，３６２，・・・，３６ｎ，４１  カプラ（分波手段、第２の分波手段）、３８，５８  光スイッチ（切替手段）、３９  光フィルタ、４０，７７  レベル検出部（誤接続検出手段）、４４  ＯＣＭ（誤接続検出手段）、５６１，５６２，・・・，５６ｎ，６０  カプラ（第２の合波手段）、７６１，７６２，・・・，７６ｎ，７９  カプラ（第１の分波手段）、９１，９２  誤接続検出部（誤接続検出手段）、１００  光送信機パッケージ（確認用複数波長光信号供給手段）、１０１１，１０１２，・・・，１０１ｎ  トランスポンダ、２００Ａ，２００Ｂ  パッケージ。
【図１】
2013105605.tif 000003
【図２】
2013105605.tif 000004
【図３】
2013105605.tif 000005
【図４】
2013105605.tif 000006
【図５】
2013105605.tif 000007
【手続補正書】
【提出日】平成26年11月14日(2014.11.14)
【手続補正１】
【補正対象書類名】明細書
【補正対象項目名】０００８
【補正方法】変更
【補正の内容】
【０００８】
本発明の波長多重光通信装置は、入力ポートからの波長多重光を各々の波長毎に分波して各々の出力ポートから出力する第１の光分波器、第１の光分波器の各々の出力ポートに対応して設けられた第１の送信側コネクタ、および第１の光分波器の各々の出力ポートと、対応して設けられた各々の第１の送信側コネクタとを接続する第１の送信側光ファイバからなる第１の送信部と、複数の入力ポートからの波長毎の光信号を合波して波長多重光を出力ポートから出力する第１の光合波器、第１の光合波器の各々の入力ポートに対応して設けられた第１の受信側コネクタ、および第１の光合波器の各々の入力ポートと、対応して設けられた各々の第１の受信側コネクタとを接続する第１の受信側光ファイバからなる第１の受信部とを備えた第１のパッケージと、複数の入力ポートからの波長毎の光信号を合波して波長多重光を出力ポートから出力する第２の光合波器、第２の光合波器の各々の入力ポートに対応して設けられた第２の受信側コネクタ、および第２の光合波器の各々の入力ポートと、対応して設けられた各々の第２の受信側コネクタとを接続する第２の受信側光ファイバからなる第２の受信部と、入力ポートからの波長多重光を各々の波長毎に分波して各々の出力ポートから出力する第２の光分波器、第２の光分波器の各々の出力ポートに対応して設けられた第２の送信側コネクタ、および第２の光分波器の各々の出力ポートと、対応して設けられた各々の第２の送信側コネクタとを接続する第２の送信側光ファイバからなる第２の送信部とを備えた第２のパッケージと、第１の送信側コネクタと第２の受信側コネクタとが第１の装置内光ファイバにより接続され、第２の送信側コネクタと第１の受信側コネクタとが第２の装置内光ファイバにより接続される波長多重光通信装置において、確認用光信号を発生する接続確認用光源と、第１の装置内光ファイバが接続された第１の送信側コネクタと、対応する第１の光分波器の出力ポートとを接続する第１の送信側光ファイバに、確認用光信号を合波する第１の合波手段と、第１の装置内光ファイバが接続された第２の受信側コネクタと、対応する第２の光合波器の入力ポートとを接続する第２の受信側光ファイバから確認用光信号を分波する第２の分波手段と、第２の装置内光ファイバが接続された第２の送信側コネクタと、対応する第２の光分波器の出力ポートとを接続する第２の送信側光ファイバに、第２の分波手段による確認用光信号を合波する第２の合波手段と、第２の装置内光ファイバが接続された第１の受信側コネクタと、対応する第１の光合波器の入力ポートとを接続する第１の受信側光ファイバから確認用光信号を分波する第１の分波手段と、第１の分波手段による確認用光信号のレベルを検出し、該検出したレベルに応じて第１および第２の装置内光ファイバの誤接続を検出する誤接続検出手段とを備えたものである。
【手続補正２】
【補正対象書類名】特許請求の範囲
【補正対象項目名】全文
【補正方法】変更
【補正の内容】
【特許請求の範囲】
【請求項１】
入力ポートからの波長多重光を各々の波長毎に分波して各々の出力ポートから出力する第１の光分波器、
上記第１の光分波器の各々の出力ポートに対応して設けられた第１の送信側コネクタ、
および上記第１の光分波器の各々の出力ポートと、対応して設けられた各々の第１の送信側コネクタとを接続する第１の送信側光ファイバからなる第１の送信部と、
複数の入力ポートからの波長毎の光信号を合波して波長多重光を出力ポートから出力する第１の光合波器、
上記第１の光合波器の各々の入力ポートに対応して設けられた第１の受信側コネクタ、
および上記第１の光合波器の各々の入力ポートと、対応して設けられた各々の第１の受信側コネクタとを接続する第１の受信側光ファイバからなる第１の受信部とを備えた第１のパッケージと、
複数の入力ポートからの波長毎の光信号を合波して波長多重光を出力ポートから出力する第２の光合波器、
上記第２の光合波器の各々の入力ポートに対応して設けられた第２の受信側コネクタ、
および上記第２の光合波器の各々の入力ポートと、対応して設けられた各々の第２の受信側コネクタとを接続する第２の受信側光ファイバからなる第２の受信部と、
入力ポートからの波長多重光を各々の波長毎に分波して各々の出力ポートから出力する第２の光分波器、
上記第２の光分波器の各々の出力ポートに対応して設けられた第２の送信側コネクタ、
および上記第２の光分波器の各々の出力ポートと、対応して設けられた各々の第２の送信側コネクタとを接続する第２の送信側光ファイバからなる第２の送信部とを備えた第２のパッケージと、
上記第１の送信側コネクタと上記第２の受信側コネクタとが第１の装置内光ファイバにより接続され、上記第２の送信側コネクタと上記第１の受信側コネクタとが第２の装置内光ファイバにより接続される波長多重光通信装置において、
確認用光信号を発生する接続確認用光源と、
上記第１の装置内光ファイバが接続された上記第１の送信側コネクタと、対応する上記第１の光分波器の出力ポートとを接続する第１の送信側光ファイバに、上記確認用光信号を合波する第１の合波手段と、
上記第１の装置内光ファイバが接続された上記第２の受信側コネクタと、対応する上記第２の光合波器の入力ポートとを接続する第２の受信側光ファイバから確認用光信号を分波する第２の分波手段と、
上記第２の装置内光ファイバが接続された上記第２の送信側コネクタと、対応する上記第２の光分波器の出力ポートとを接続する第２の送信側光ファイバに、上記第２の分波手段による確認用光信号を合波する第２の合波手段と、
上記第２の装置内光ファイバが接続された上記第１の受信側コネクタと、対応する上記第１の光合波器の入力ポートとを接続する第１の受信側光ファイバから確認用光信号を分波する第１の分波手段と、
上記第１の分波手段による確認用光信号のレベルを検出し、該検出したレベルに応じて上記第１および第２の装置内光ファイバの誤接続を検出する誤接続検出手段とを備えたことを特徴とする波長多重光通信装置。
【請求項２】
入力ポートからの波長多重光を各々の波長毎に分波して各々の出力ポートから出力する第１の光分波器、
上記第１の光分波器の各々の出力ポートに対応して設けられた第１の送信側コネクタ、
および上記第１の光分波器の各々の出力ポートと、対応して設けられた各々の第１の送信側コネクタとを接続する第１の送信側光ファイバからなる第１の送信部と、
複数の入力ポートからの波長毎の光信号を合波して波長多重光を出力ポートから出力する第１の光合波器、
上記第１の光合波器の各々の入力ポートに対応して設けられた第１の受信側コネクタ、
および上記第１の光合波器の各々の入力ポートと、対応して設けられた各々の第１の受信側コネクタとを接続する第１の受信側光ファイバからなる第１の受信部とを備えた第１のパッケージと、
複数の入力ポートからの波長毎の光信号を合波して波長多重光を出力ポートから出力する第２の光合波器、
上記第２の光合波器の各々の入力ポートに対応して設けられた第２の受信側コネクタ、
および上記第２の光合波器の各々の入力ポートと、対応して設けられた各々の第２の受信側コネクタとを接続する第２の受信側光ファイバからなる第２の受信部と、
入力ポートからの波長多重光を各々の波長毎に分波して各々の出力ポートから出力する第２の光分波器、
上記第２の光分波器の各々の出力ポートに対応して設けられた第２の送信側コネクタ、
および上記第２の光分波器の各々の出力ポートと、対応して設けられた各々の第２の送信側コネクタとを接続する第２の送信側光ファイバからなる第２の送信部とを備えた第２のパッケージと、
上記第１の送信側コネクタと上記第２の受信側コネクタとが第１の装置内光ファイバにより接続され、上記第２の送信側コネクタと上記第１の受信側コネクタとが第２の装置内光ファイバにより接続される波長多重光通信装置において、
上記第１の装置内光ファイバが接続された上記第１の送信側コネクタに対応する上記第１の光分波器の出力ポートからの光信号の波長と同一波長の確認用光信号を発生する接続確認用光源と、
上記第１の光分波器の入力ポートに、上記接続確認用光源の確認用光信号を合波する第１の合波手段と、
上記第２の光合波器の出力ポートから確認用光信号を分波する第２の分波手段と、
上記第２の光分波器の入力ポートに、上記第２の分波手段による確認用光信号を合波する第２の合波手段と、
上記第１の光合波器の出力ポートから確認用光信号を分波する第１の分波手段と、
上記第１の分波手段による確認用光信号のレベルを検出し、該検出したレベルに応じて上記第１および第２の装置内光ファイバの誤接続を検出する誤接続検出手段とを備えたことを特徴とする波長多重光通信装置。
【請求項３】
上記接続確認用光源は、
運用波長外の確認用光信号を発生することを特徴とする請求項１記載の波長多重光通信装置。
【請求項４】
上記接続確認用光源と上記第１の合波手段とは、
着脱自在にされたことを特徴とする請求項１記載の波長多重光通信装置。
【請求項５】
上記第１の分波手段と上記誤接続検出手段とは、
着脱自在にされたことを特徴とする請求項１記載の波長多重光通信装置。
【請求項６】
上記第２の分波手段は、
各々の上記第２の受信側光ファイバに設けられ、
上記第２の合波手段は、
各々の上記第２の送信側光ファイバに設けられ、
切替手段により、複数の第２の受信側光ファイバのうちのいずれの第２の受信側光ファイバからの確認用光信号を、複数の第２の送信側光ファイバのうちのいずれの第２の送信側光ファイバに合波するか切り替え自在にされたことを特徴とする請求項１記載の波長多重光通信装置。
【国際調査報告】
2013105605.tif 000008
2013105605.tif 000009
2013105605.tif 000010
2013105605.tif 000011